(57)【要約】  【課題】家具を分解収納する際に、小型部品が散逸することを防ぐ。  【解決手段】面状の大型部品である幕板３を具備する机Ｄに、大型部品以外の部品である小型部品、すなわち前記４、ダクトカバー５、化粧部材６、配線カバー７、サイドカバー（図示略）及びコーナーカバー（図示略）を、幕板３の一方の面である内面に直接又は間接に係合部を介して着脱可能に保持し得るようにする。  【選択図】図７
2007135746.tif 000002
【特許請求の範囲】
【請求項１】
１又は複数の面状の大型部品を具備するものであって、大型部品以外の部品である小型部品を、大型部品の一方の面に直接又は間接に係合部を介して着脱可能に保持し得るようにしていることを特徴とする家具。
【請求項２】
前記大型部品の使用時に外部に露出する側と反対側の面に該大型部品の幅方向に延伸する補強材を設けているとともに、この補強材に小型部品に設けた係合部と凹凸係合可能な被係合部を設けていることを特徴とする請求項１記載の家具。
【請求項３】
前記小型部品のいずれかに、該小型部品を大型部品に保持させた状態で他の小型部品と係合して他の小型部品の大型部品からの離間を規制する保持部を設けていることを特徴とする請求項１又は２記載の家具。
【請求項４】
前記小型部品を大型部品に全て保持させた状態で、複数の小型部品の突出面が同一平面上に位置するようにしていることを特徴とする請求項１、２又は３記載の家具。
【請求項５】
面状の大型部品として、天板を少なくとも有することを特徴とする請求項１、２、３又は４記載の家具。
【請求項６】
面状の大型部品として、前記天板の反使用端下方に設けられる幕板をさらに有することを特徴とする請求項５記載の家具。
【請求項７】
前記小型部品の１つが、幕板に設けられ配線を内部に配置可能な配線カバーであるとともに、この配線カバーに他の小型部品を保持可能にしていることを特徴とする請求項６記載の家具。
【請求項８】
前記小型部品の１つが、天板の上方と下方とを連通する配線挿通空間を上方から被覆する蓋体であることを特徴とする請求項１、２、３、４、５、６又は７記載の家具。
【発明の詳細な説明】
【技術分野】
【０００１】
本発明は、オフィス等において好適に使用されるものであって、１又は複数の面状の大型部品を具備する家具に関する。
【背景技術】
【０００２】
従来、オフィス等における使用に供す家具の１つとして、天板下方に配線ダクト空間を有し、この配線ダクト空間を配線カバーにより開閉可能に塞ぐようにしている机が考えられている。さらに、この配線カバーに、該机の正規取付位置から取り外した常時は机の一部を構成する小型部品を着脱可能に保持できるようにするものも考えられている。（例えば、特許文献１を参照。）
【特許文献１】特許第２７２０６９４号公報
【発明の開示】
【発明が解決しようとする課題】
【０００３】
しかして、このような机等の家具は、オフィスの減員や配置転換の際に、収納スペースを節約すべく分解して倉庫等所定の収納箇所に収納することが行われている。しかし、上述した配線カバーもまた標準的な体格の成人が片手で持ち運び可能な程度の比較的小型な部品である。そして、このような小型の部品が、分解収納や再組み立ての際に散逸してしまう不具合が発生することがある。
【０００４】
本実施形態は、このような課題を解決すべく構成するものである。
【課題を解決するための手段】
【０００５】
すなわち本発明に係る家具は、１又は複数の面状の大型部品を具備するものであって、大型部品以外の部品である小型部品を、大型部品の一方の面に直接又は間接に係合部を介して着脱可能に保持し得るようにしていることを特徴とする。
【０００６】
このようなものであれば、この家具を分解して収納する際に小型部品を全て大型部品の一方の面に直接又は間接に保持させることにより、大型部品に保持させた小型部品を一覧できるようになる。従って、小型部品の所在がわかりやすくなり、部品が散逸してしまう不具合の発生を防ぐことができる。
【０００７】
最小限の設計変更によりこのような効果を実現できる構成として、前記大型部品の使用時に外部に露出する側と反対側の面に該大型部品の幅方向に延伸する補強材を設けているとともに、この補強材に小型部品に設けた係合部と凹凸係合可能な被係合部を設けているものが挙げられる。面状の大型部品には該部品の幅方向に延伸する補強材を設けていることが多く、このような補強材に前記被係合部を設けるだけで該大型部品に小型部品を保持させるようにできるからである。
【０００８】
１つの大型部品に多数の小型部品を保持させる場合に特に有効な態様として、前記小型部品のいずれかに、該小型部品を大型部品に保持させた状態で他の小型部品と係合して他の小型部品の大型部品からの離間を規制する保持部を設けているものが挙げられる。このようなものであれば、大型部品に保持させた状態での突出幅が比較的大きい小型部品に前記保持部を設け、突出幅がより小さい小型部品にこの保持部を係合させることにより、特に小さな小型部品の脱落を起こりにくくできるからである。
【０００９】
小型部品を保持させた大型部品を積層して保管する場合に特に有効な態様として、前記小型部品を大型部品に全て保持させた状態で、複数の小型部品の突出面が同一平面上に位置するようにしているものが挙げられる。このようなものであれば、前記小型部品を保持させた状態の大型部品に他の大型部品を載置する際、他の大型部品の載置面を水平にできるからである。
【００１０】
このような家具の具体的な態様の一例として、面状の大型部品として、天板を少なくとも有するものが挙げられる。オフィス等に用いられる天板付き家具においては、減員や人員の配置転換の際に天板付き家具の使用を一時的に中止し収納しておく必要が生じることが多いからである。
【００１１】
特に、面状の大型部品として、前記天板の反使用端下方に設けられる幕板をさらに有するものであれば、この幕板に配線を保持させる配線保持具等のオプション部材を取付可能にできる。
【００１２】
さらに、前記小型部品の１つが、幕板に設けられ配線を内部に配置可能な配線カバーであるとともに、この配線カバーに他の小型部品を保持可能にしているものであれば、通常はこの配線カバー内部に配線を挿通させて天板下方の空間をすっきりさせつつ、家具を収納する際には配線カバー内部に他の小型部品を保持させてこの配線カバー内部の空間を有効に利用できる。
【００１３】
また、前記小型部品の１つが、天板の上方と下方とを連通する配線挿通空間を上方から被覆する蓋体であれば、このような配線カバーは比較的小さい寸法のものが多く散逸しやすいので、大型部品に保持させることにより、散逸を特に有効に防ぐことができる。
【００１４】
なお、本発明において、「小型部品の突出面」とは、該小型部品が取り付け対象の大型部品の一方の面から最も離間した部分を含む面全般を含む概念である。
【発明の効果】
【００１５】
本発明に係る家具は、１又は複数の面状の大型部品の一方の面に、大型部品以外の部品である小型部品を係合部を介して直接又は間接に着脱可能に保持し得るようにしているので、この家具を分解して収納する際に小型部品を全て大型部品の一方の面に保持させることにより、大型部品に保持させた小型部品を一覧できるようになる。従って、小型部品の所在がわかりやすくなり、部品が散逸してしまう不具合の発生を防ぐことができる。
【発明を実施するための最良の形態】
【００１６】
以下、本発明の一実施形態を、図面を参照して説明する。
【００１７】
本実施形態に係る家具である机Ｄは、図１ないし図４に示すように、面板状をなすパネル部１１及びこのパネル部１１の下方に設けたベース１２を有する左右１対の脚１、１と、脚１、１により支持される天板２と、脚１、１の背面端側すなわち天板２の反使用端の下方に取り付けられる幕板３とを具備する。また、この机Ｄは、天板２の反使用端部の下方すなわち幕板３の前方に設けた配線保持用の配線ダクト空間ＤＳと、幕板３の使用時に外部に露出する側と反対側すなわち下肢空間に向かう側の面である内面に着脱可能に設けた樋４とをさらに具備する。加えて、この机Ｄは、天板２の反使用端側に設けられ前記樋４の上方の配線ダクト空間ＤＳを開閉可能に閉じるダクトカバー５と、幕板３の上縁に連続するようにして取り付けられ両端部に配線通孔部６１を有する化粧部材６と、高さ方向に延伸する形状を有し前記幕板３の内面に着脱可能に設けた配線カバー７と、配線ダクト空間ＤＳの左右両端部の上方を閉塞し前記ダクトカバー５の左右に配してなるサイドカバー８、８と、前記化粧部材６の両端に連結したコーナーカバー９とをさらに具備する。本実施形態において、前記脚１、１、天板２、及び幕板３が請求項中の面状の大型部品であり、一方、前記樋４、ダクトカバー５、化粧部材６、配線カバー７、サイドカバー８、８、及びコーナーカバー９が請求項中の小型部品である。
【００１８】
前記脚１、１及び天板２は、図１に示すように、従来周知の天板付き家具とほぼ同様の構成を有する。すなわち、前記脚１、１は、上述したように面板状をなすパネル部１１及びこのパネル部１１の下方に設けたベース１２を有する。また、前記天板２は、矩形板状をなす天板本体２１と、この天板本体の下面に設けられ巾方向に延伸する補強材（図示略）とを具備する。
【００１９】
前記幕板３も、図１、図２、及び図３に示すように、従来周知の天板付き家具とほぼ同様の構成を有する。すなわち、使用時に外部に露出する側の面である外面を形成する面板状の幕板本体３１と、内面の上部及び高さ方向中間部に設けた巾方向に延伸する第１及び第２の補強材３２、３３とを少なくとも具備する。また、前記幕板本体３１には、下端部を折り返して下補強部３４を形成している。
【００２０】
前記樋４は、図３、図４、及び図５に示すように、上方に開口する略チャネル状の樋本体４１と、この樋４を前記幕板３に係止する係止部４２とを有する。前記係止部４２は、具体的には第１の補強材３２の上面及び第２の補強材３３の下面にそれぞれ設けた係合溝３ｍに係合可能に構成している。
【００２１】
前記ダクトカバー５は合成樹脂製で、平板形状をしており、この実施形態にあっては、図４に示すように、左右両端部に配してなる端部カバー５ａ、５ａと中央部に左右１対に配してなる中央カバー５ｂ、５ｂとに計四分割してある。また、このダクトカバー５は、比較的硬質の合成樹脂により形成したダクトカバー本体５１と、比較的軟質の合成樹脂又はゴムにより形成していてこのダクトカバー本体５１の一端縁に設けた軟質部５２とを具備し、軟質部５２を弾性変形させて配線を天板２の上方から天板２の下方に、又はその逆方向に連通可能な構成を有する。そして、このダクトカバー５は、その上面が天板２の上面及び化粧部材６の上面とほぼ面一になるように取り付けられ、化粧部材６の上面とともに実質的に机Ｄの天板２の上面を拡張しているものである。また、このダクトカバー５は、請求項中の蓋体として機能する。
【００２２】
化粧部材６は、その奥行き方向の寸法（前後方向の幅寸法）をダクトカバー５の幅より小さく設定してある。また、この化粧部材６は、上面を形成する面部６１と、面部６１の前後両端から垂下し前記幕板３の上端部に係合する係合部６２とを有する。さらに、その両端にはコーナーカバー９を配している。そして、この化粧部材６は、配線ダクト空間ＤＳの上縁近傍の後壁として機能する。
【００２３】
前記配線カバー７は、背面図を図６に示すように、後方に開口し幕板３との間で配線収納空間７ｓを形成するカバー本体７１と、このカバー本体７１の上端部に設けられ前記幕板３の第２の補強材３３に設けた係合溝３３ｘに係合可能な係合爪７２とを有する。前記カバー本体７１は、さらに配線挿通空間７ｓの左右両端を形成する側壁７３、７３と、この側壁７３、７３の前端部を接続する底壁７４とを有する。
【００２４】
前記サイドカバー８及びコーナーカバー９は、出願者がこの種の天板付き家具として従来考案したものに用いるサイドカバー及びコーナーカバーとほぼ同様の構成を有する。また、
すなわち、前記サイドカバー８は、図４に示すように、机Ｄの脚１の上端に着脱可能に取り付け得るようにしている。机Ｄの脚１の上端に取り付けた状態で前記天板２の天板面と面一をなす上面部８１と、また、この上面部の一側端から垂下して設けた側面部８２と、前記上面部から垂下させるとともにこの側面部８２の前後両端からそれぞれ延伸させて設けたカバーリブ８３とを具備する。そして、図示はしないが、前記側面部８２に開口を設け、配線ダクト空間ＤＳ内に配した配線を机Ｄの横方向に取り出すことができる。つまり、机Ｄを横方向に並べた場合に、隣接する机Ｄの配線ダクト空間ＤＳ同士をサイドカバー８のサイドキャップ８１をはずした開口部分を介して連通させることができるものである。また、このサイドカバー８も、請求項中の蓋体として機能する。
【００２５】
また、前記コーナーカバー９は、前記図５に示すように、下端部に設けた第１〜第３の取付爪９ａ、９ｂ、９ｃを介して幕板３の上端に取付可能であるとともに、配線空間ＤＳと連通して該配線空間を机Ｄの後方に連通させる開口部９ｓを有するコーナーカバー本体９１と、前記開口部を閉塞可能な図示しない蓋体とを有する。また、このコーナーカバー９も、請求項中の蓋体として機能する。
【００２６】
しかして本実施形態では、図６ないし図９に示すように、幕板３に、小型部品、すなわち樋４、ダクトカバー５、化粧部材６、配線カバー７、サイドカバー８、及びコーナーカバー９を直接又は間接に着脱可能に保持し得るようにしている。
【００２７】
具体的には、前記幕板３の第１の補強材３２の下面、及び第２の補強材３３の上面に第１の被係合孔３ｘを設けているとともに、前記ダクトカバー５には前記第１の被係合孔３ｘに係合可能な係合部たる係合突起５３をダクトカバー本体５１の端縁に設けていて、これらを係合させることによりダクトカバー５を第１及び第２の補強材３２、３３に着脱可能に保持し得るようにしている。なお、図８には第２の補強材３３の上面に設けた第１の被係合孔３ｘのみが示されているが、第１の補強材の下面にも、前記第２の補強材３３の上面に設けた第１の被係合孔３ｘと巾方向位置を一致させて第１の被係合孔３ｘを設けている。また、図８においては、前記係合突起５３の所在をわかりやすく示すべくダクトカバー５（中央ダクトカバー５ｂ）を裏向きにして示している。
【００２８】
また、前記幕板３の第１の補強材３２の突出面には第２の被係合孔３ｙを設けているとともに、前記樋４の係合部４２には、この被係合孔３ｙと係合可能な係合突起（図示略）を設けている。さらに、この樋４は、前記ダクトカバー５を幕板３に保持させた状態で、このダクトカバー５を被覆する姿勢で幕板３に保持させることが可能である。さらに、この樋４及びダクトカバー５をともに幕板３の第１の補強材３２に保持させた状態で該ダクトカバー５の幕板からの離間を防ぐべく、前記ダクトカバー５に対向可能な制動爪４３を設けている。すなわち、前記ダクトカバー５が幕板３から離間しようとした際に前記制動爪４３に当接してこれ以上の離間動作が規制されるように構成している。
【００２９】
前記化粧部材６は、本実施形態では長手寸法が幕板３の巾寸法よりも小さいので、本実施形態では係合部６２を介して幕板３の上端縁に係合させたまま収納するようにしている。
【００３０】
前記配線カバー７も、本実施形態では使用時と同様の姿勢で幕板３に保持させるようにしているが、収納時には図６に想像線により示しているように、内部に前記サイドカバー８及びコーナーカバー９を保持させることが可能な構成を有する。具体的には、前記配線カバー７の底壁７４に、前記サイドカバー８と係合可能な第１の保持部７ｘを設けているとともに、同じく前記配線カバー７の底壁７４に、前記コーナーカバーと係合可能な第２及び第３の保持部７ｙ、７ｚを設けている。さらに詳述すると、前記第１の保持部７ｘには、前記サイドカバー８の側面部８２を挟持可能に１対のリブを起立させて左右両端に対に設けた第１要素７ｘ１と、前記サイドカバー８のカバーリブ８３を挟持可能に１対のリブを起立させて左右１対に設けた設けた第２要素７ｘ２とを備えている。一方、前記第２の保持部７ｙには、前記コーナーカバー９の１隅部と係合可能な形状のリブである第１要素７ｙ１と、前記第２の取付爪９ｂを挟持可能に１対のリブを起立させて設けた第２要素７ｙ２と、前記第３の取付爪９ｃを挟持可能に１対のリブを起立させて設けた第２要素７ｙ３とを備えている。そして、前記第３の保持部７ｚにも、前記コーナーカバー９の１隅部と係合可能な形状のリブである第１要素７ｚ１と、前記第２の取付爪９ｂを挟持可能に１対のリブを起立させて設けた第２要素７ｚ２と、前記第３の取付爪９ｃを挟持可能に１対のリブを起立させて設けた第２要素７ｚ３とを備えている。前記第２及び第３の保持部７ｙ、７ｚは、互いに上下対称の形状に形成していて、左右いずれか一方のコーナーカバー９をこれら第２及び第３の保持部７ｙ、７ｚのいずれか一方に選択的に保持可能に構成している。
【００３１】
すなわち、この机Ｄの非使用時には、天板２及び幕板３を脚１、１から取り外した上で、小型部品を以下のような態様で幕板３に直接又は間接に着脱可能に保持し得るようにしている。
【００３２】
前記化粧部材６は、上述したように長手寸法が幕板３の巾寸法よりも小さいので、使用時と同様の姿勢でそのまま幕板３の上端縁に取り付けておく。
【００３３】
前記ダクトカバー５は、左右カバー５ａ、５ａ及び中央カバー５ｂ、５ｂに４分割し、左右カバー５ａ、５ａを第１の補強材３２に、また、中央カバー５ｂ、５ｂを第２の補強材３３にそれぞれ保持させる。
【００３４】
前記樋４は、前記ダクトカバー５を第１及び第２の補強材３２、３３に保持させた後に前記係合突起を第１の補強材３２の被係合孔３ｙに係合させ、第１の補強材３２に保持させたダクトカバー５（左右カバー５ａ）を被覆するとともに第２の補強材３３に保持させたダクトカバー５（中央カバー５ｂ）に制動爪４３を対向させる。
【００３５】
前記サイドカバー８は前記第１の保持部７ｘを介して前記配線カバー７に保持させ、また、前記コーナーカバー９は、前記第２及び第３の保持部７ｙ、７ｚのうちいずれかを介して前記配線カバー７に保持させ、この配線カバー７を幕板３に使用時と同様の姿勢に保持させる。
【００３６】
そして、樋４、ダクトカバー５、及び配線カバー７を幕板３の内面に保持させた状態で、樋４の前記幕板３の内面から最も離間した部分の面である突出面４ａと、配線カバー７の前記幕板３の内面から最も離間した部分の面である突出面７ａとが同一平面上に位置するようにしている
本実施形態に係る机Ｄは、以上に述べたように、小型部品たる樋４、ダクトカバー５、及び配線カバー７を、樋４の係合突起、ダクトカバー５の係合突起５３、及び配線カバー７の係合爪７２を介して幕板３の内面にそれぞれ直接着脱可能に保持し得るようにしている。また、前記サイドカバー８及びコーナーカバー９は、前記第１及び第２の保持部７ｘ、７ｙを介して前記配線カバー７に保持させるようにしているので、間接的に幕板３の内面着脱可能に保持し得るようにしている。従って、この机Ｄを分解して収納する際に、上述した態様で小型部品を全て大型部品たる幕板３の内面に直接又は間接に保持させることにより、幕板３に保持させた小型部品を一覧できるようになる。すなわち、小型部品の所在がわかりやすくなり、部品が散逸してしまう不具合の発生を防ぐことができる。
【００３７】
また、前記幕板３の内面に幕板３の幅方向に延伸する第１及び第２の補強材３２、３３を設けているとともに、この第１及び第２の補強材３２、３３に小型部品に設けた係合部と凹凸係合可能な被係合孔３ｘ、３ｙ及び係合溝３ｍを設ける構成を採用しているので、従来広く用いられている幕板３の補強材をそのまま前記第１及び第２の補強材３２、３３として利用でき、従って最小限の設計変更により前段に述べたような効果を実現できる。
【００３８】
さらに、前記配線カバー７に、他の小型部品である前記サイドカバー８と係合可能な第１の保持部７ｘ、及びコーナーカバー９と係合可能な第２及び第３の保持部７ｙ、７ｚを設けていて、この配線カバー７を幕板３に保持させた状態で第１の保持部７ｘを前記サイドカバー８と、第２又は第３の保持部７ｙ、７ｚのうちいずれかをコーナーカバー９とそれぞれ係合させ、これらの幕板３からの離間を規制しているので、特に小さな小型部品である前記サイドカバー８及びコーナーカバー９の幕板３からの脱落を起こりにくくできるとともに、配線カバー７内部の配線収納空間７ｓを非使用時にも利用して収納スペースの低減を図ることができる。さらに、通常使用時にはこの配線カバー７内部の配線収納空間７ｓに配線を挿通させて天板２下方の空間をすっきりさせることもできる。
【００３９】
加えて、前記小型部品を幕板３に全て保持させた状態で、樋４の突出面４ａと配線カバー７の突出面７ａとが同一平面上に位置するようにしているので、前記小型部品を保持させた状態の幕板３に他の大型部品を載置する際、他の大型部品の載置面を水平にでき、前記小型部品を保持させた幕板３を効果的に積層して保管することができる。
【００４０】
一方、面状の大型部品として、天板２を有するので、この机Ｄをオフィス等で使用する場合、減員や人員の配置転換の際にこの机Ｄの使用を一時的に中止し、分解収納しておく必要が生じることが多く、収納の際の部品の散逸を防ぐ効果をより好適に得ることができる。
【００４１】
さらに、面状の大型部品として、前記天板１の反使用端下方に設けられる幕板３をさらに有するので、この幕板３に前記樋４や前記配線カバー７以外にも種々のオプション部材を取付可能にできる。
【００４２】
そして、前記小型部品の１つが、天板２の上方と下方とを連通する配線挿通空間ＤＳを上方から被覆するダクトカバー５であるので、上述したように４分割した状態ではダクトカバー５は比較的小さい寸法となり散逸しやすくなるが、４分割させた後幕板３に保持させることにより、散逸を特に有効に防ぐことができる。
【００４３】
加えて、前記サイドカバー８、コーナーカバー９も前記小型部品の１つであり、前記配線カバー７を介して幕板３に保持させるようにしているので、寸法が小さいこれらの部品の散逸も有効に防ぐことができる。
【００４４】
なお、本発明は以上に詳述した実施形態に限られるものではない。
【００４５】
例えば、上述した実施形態において、化粧部材の長手寸法が幕板の巾寸法よりも大きい場合、化粧部材は天板の裏面に保持させるようにしてもよい。
【００４６】
また、天板付き家具において、前記化粧部材に限らず、他の小型部品を天板の裏面に保持させてもよく、さらに小型部品の全てを天板の裏面に保持させてもよい。さらに、小型部品を、上述した実施形態における脚に保持させるようにしてももちろんよい。
【００４７】
加えて、天板付き家具に限らず、例えば大型部品として側面を形成する側板ないし背面を形成する背板を有する収納家具において、このような収納家具の小型部品を大型部品の一方の面に直接又は間接に係合部を介して着脱可能に保持し得るようにしてもよい。この場合、前記大型部品の使用時に外部に露出する側と反対側の面に該大型部品の幅方向に延伸する補強材を設ける態様が広く用いられているものであれば、この補強材に小型部品に設けた係合部と凹凸係合可能な被係合部を設けると、設計変更を最小限にできるのでなおよい。
【００４８】
その他、本発明の趣旨を逸脱しない範囲で種々変形が可能である。
【図面の簡単な説明】
【００４９】
【図１】本発明の一実施形態に係る机を示す全体斜視図。
【図２】同実施形態に係る机の天板下方を示す斜視図。
【図３】同実施形態に係る幕板に対する樋の取付態様を示す斜視図。
【図４】同実施形態に係る机のダクトカバー及びサイドカバーを取り外した状態を示す斜視図。
【図５】同実施形態に係る机のコーナーカバーを取り外した状態を示す斜視図。
【図６】同実施形態に係る机の配線カバーを示す背面図。
【図７】同実施形態に係る机の幕板に対する樋、ダクトカバー、化粧部材、及び配線カバーの保持態様を示す斜視図。
【図８】同実施形態に係る机の幕板に対するダクトカバーの着脱態様を示す斜視図。
【図９】同実施形態に係る机の幕板に対する樋及びダクトカバーの保持態様と、配線カバーに対するサイドカバー及びコーナーカバーの保持態様を示す斜視図。
【符号の説明】
【００５０】
Ｔ…天板付き家具
１…脚（大型部品）
２…天板（大型部品）
３…幕板（大型部品）
３２、３３…第１、第２の補強材
４…樋（小型部品）
５…ダクトカバー（小型部品）
６…化粧部材（小型部品）
７…配線カバー（小型部品）
８…サイドカバー（小型部品）
９…コーナーカバー（小型部品）
【図１】
2007135746.tif 000003
【図２】
2007135746.tif 000004
【図３】
2007135746.tif 000005
【図４】
2007135746.tif 000006
【図５】
2007135746.tif 000007
【図６】
2007135746.tif 000008
【図７】
2007135746.tif 000009
【図８】
2007135746.tif 000010
【図９】
2007135746.tif 000011